(57)【要約】【課題】  患者がベッドを移動した場合に、患者情報を登録し直すことなく適切な患者情報を取得することができるようにするとともに患者の移動を登録することができるようにすることを目的とする。【解決手段】  病室番号を表面に表示した複数の個別選局部２３を規則的に配置し、患者情報を記憶するＩＣチップ２３６を持ち個別選局部２３に着脱可能とし患者氏名を表面に表示した氏名カード２３３を移動先のベッドに対応する個別選局部２３に装着する。親機用制御部２１はナースコール子機１０から受信した子機種別情報に対応する個別選局部２３に装着されている氏名カード２３３から患者情報を読み取る。これにより、移動元のベッドに対応する個別選局部２３から氏名カード２３３を取り外して病室番号を見ながら氏名カード２３３を所望の個別選局部２３に装着するだけで氏名カード２３３から患者情報を読み取ることができる。【選択図】        図１
2008289752.tif 000002
【特許請求の範囲】
【請求項１】
患者により呼出操作が行われたときに呼び出しを報知するための呼出信号を子機を識別するための子機識別情報とともに外部へ送信するナースコール子機と前記呼出信号を受信し前記患者からの呼び出しに応答するナースコール親機とを有するナースコールシステムであって、
前記ナースコール親機は、
前記患者の氏名を表面に表示し、前記患者を識別するための患者識別情報および少なくとも前記患者の氏名を示す氏名情報を含む患者情報を記憶するＩＣチップを備える複数の氏名カードと、
前記患者が使用する病室を示す病室情報を表面に表示し、前記氏名カードを着脱可能として、装着された前記氏名カードの前記ＩＣチップから前記患者情報を読み取るカードリーダを備える複数の個別選局部と、
前記個別選局部の位置を示す配置情報と前記子機識別情報とを互いに紐付けて記憶する記憶部と、
前記子機識別情報を受信した場合に、前記記憶部を参照して前記配置情報を取得し、前記配置情報により特定される前記個別選局部に装着されている前記氏名カードの前記ＩＣチップから前記カードリーダによって前記患者情報を読み取らせる制御部と、
を具備することを特徴とするナースコールシステム。
【請求項２】
前記ナースコールシステムは、前記患者情報を含む前記呼び出しを行った呼出元を表示する表示部をさらに有し、
前記制御部は、前記カードリーダによって読み取らせた前記患者情報を前記表示部に表示させることを特徴とする請求項１に記載のナースコールシステム。
【発明の詳細な説明】
【技術分野】
【０００１】
本発明は、病院などで患者からの要求に応じて看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を有線や無線などにより接続している。
【０００３】
ナースコール親機には、単独で動作するボード形ナースコール親機と、コンピュータと接続して動作するコンピュータ形ナースコール親機とがある。ボード形ナースコール親機は、ナースコール子機を選局する機能を有する複数の個別選局部を並列配置している。個別選局部は、患者の氏名が表示された氏名カードを装着し、病室番号を表示している。ボード形ナースコール親機は、ナースコール子機から呼び出しを受けると、自機の表示部やボード形ナースコール親機に連動する携帯通信端末（例えば、ＰＨＳ（Ｐｅｒｓｏｎａｌ  Ｈａｎｄｙｐｈｏｎｅ  Ｓｙｓｔｅｍ）など）の表示部に呼び出しを行ったナースコール子機を設置している病室の病室番号を表示する。
【０００４】
また、コンピュータ形ナースコール親機は、患者の氏名や患者に関する診療科目などを含む患者情報を記憶したデータベースを備えたコンピュータと接続されている。コンピュータ形ナースコール親機は、ナースコール子機から呼び出しを受けると、ナースコール子機に対応する患者情報をデータベースから取得し、自機や携帯通信端末の表示部に取得した患者情報を表示する。
【０００５】
また、患者がベッドを移動した場合、ボード形ナースコール親機では、医療従事者が移動前のベッドに対応する個別選局部に装着された氏名カードを取り外し、移動先のベッドに対応する個別選局部に表示されている病室番号を見ながら取り外した氏名カードを装着する。一方、患者がベッドを移動した場合、コンピュータ形ナースコール親機では、医療従事者がコンピュータを操作してデータベースに記憶されている患者情報を移している（例えば、特許文献１など）。特許文献１に記載のナースコールシステムでは、他のコンピュータ形ナースコール親機で管理されるベッドに患者を移動させる場合に、移動元のベッドを管理しているナースコール用コンピュータ（以下、移動元ＰＣとする）を医療従事者が操作すると、移動元ＰＣは、移動元の病床レイアウトをモニタ画面に表示する。そして、医療従事者は、マウスやタッチパネルなどを使用して移動させたい患者および移動先のベッドを管理しているナースコール用コンピュータ（以下、移動先ＰＣとする）を選択する。すると、移動元ＰＣは、移動先の病床レイアウトを空床状況とともにモニタ画面に表示する。医療従事者は、表示された病床レイアウトを見ながら空床部分に選択した患者を追加する。
【特許文献１】特開２００４−９６４０９号公報
【０００６】
ところで、特許文献１を含むコンピュータ形ナースコール親機を使用する従来のナースコールシステムでは、患者がベッドを移動した場合の登録作業は、コンピュータを操作して行われる。そのため、コンピュータの操作に慣れていない医療従事者にとって、コンピュータを操作して登録作業を行うことは困難であった。
【０００７】
このことから、患者がベッドを移動した場合に、ボード形ナースコール親機を使用する従来のナースコールシステムは、移動前のベッドに対応する個別選局部に装着された氏名カードを取り外し、移動先のベッドに対応する個別選局部に取り外した氏名カードを装着するだけで済むので、コンピュータの操作に慣れていない医療従事者にとって、使い勝手が良い。しかしながら、ボード形ナースコール親機は、個別選局部に氏名カードを装着しているだけで、患者情報を記憶したデータベースを備えたコンピュータと接続されていないので、呼び出しを行った患者の患者情報を取得することができないという問題があった。
【発明の開示】
【発明が解決しようとする課題】
【０００８】
本発明は、このような問題を解決するために成されたものであり、患者がベッドを移動した場合に、患者情報を登録し直すことなく、適切な患者情報を取得することができるようにするとともに、患者の移動を登録することができるようにすることを目的とする。
【課題を解決するための手段】
【０００９】
上述した課題を解決するために、本発明のナースコールシステムでは、氏名カードのＩＣチップに記憶されている患者情報を読み取るカードリーダを持ち、患者が使用する病室を示す病室情報を表面に表示した複数の個別選局部を備える。また、患者を識別するための患者識別情報や患者の氏名を含む患者情報を記憶し、患者の氏名を表面に表示して、個別選局部に着脱可能とした複数の氏名カードを備える。患者がベッドを移動した場合に、医療従事者は、移動元のベッドに対応する個別選局部に装着されている氏名カードを取り外し、個別選局部に表示されている病室情報を見ながら移動先のベッドに対応する個別選局部に取り外した氏名カードを装着する。この状態で、移動先のベッド近傍に設置されたナースコール子機により呼び出しが行われると、制御部は、呼出信号とナースコール子機を識別するための子機識別情報とをナースコール子機から受信し、受信した子機識別情報によって特定される個別選局部の位置を記憶部から取得し、特定された位置の個別選局部に装着されている氏名カードに記憶されている患者情報を取得するようにしている。
【発明の効果】
【００１０】
上記のように構成した本発明によれば、医療従事者は、移動元のベッドに対応する個別選局部から氏名カードを取り外して移動先のベッドに対応する個別選局部に表示されている病室情報を見ながら移動先のベッドに対応する個別選局部に氏名カードを装着するだけで、移動元と同様に移動先でも氏名カードから患者情報が読み取られる。これにより、コンピュータを操作して患者情報を移すことなく、適切な患者情報を取得することができる。また、コンピュータの操作に慣れていない医療従事者でも、簡単に患者のベッド移動の登録を行うことができる。従って、使い勝手の良いナースコールシステムを提供することができる。
【発明を実施するための最良の形態】
【００１１】
以下、本発明の一実施形態を図面に基づいて説明する。本実施形態によるナースコールシステムのブロック図を図１に示す。同図に示すように、本実施形態によるナースコールシステムは、ナースコール子機１０、ナースコール親機２０、携帯通信端末３０を備えて構成されている。
【００１２】
また、ナースコール子機１０は、子機用制御部１１、呼出操作部１２、送信部１３、子機用インタフェース（以下、Ｉ／Ｆとする）部１４を備えている。また、ナースコール親機２０は、親機用制御部２１、親機用受信部２２、個別選局部２３、記憶部２４、親機用表示部２５（特許請求の範囲の表示部に該当）、親機用インタフェース（以下、Ｉ／Ｆとする）部２６を備えている。また、携帯通信端末３０は、端末用制御部３１、端末用受信部３２、呼出制御部３３、端末用表示部３４（特許請求の範囲の表示部に該当）、端末用インタフェース（以下、Ｉ／Ｆとする）部３５を備えている。
【００１３】
図１において、ナースコール子機１０は、病室内の患者の近辺（例えば、ベッド近傍など）に設置されており、伝送線を介してナースコール親機２０および携帯通信端末３０に接続されている。また、ナースコール親機２０は、ナースコール子機１０を選局する機能を有する複数の個別選局部２３を並列配置した所謂ボード形ナースコール親機である。ナースコール親機２０は、医療従事者のいる部屋（例えば、スタッフルームなど）に設置されており、患者からの呼び出しに応答するためのものである。ここで、ナースコール親機２０には、複数のナースコール子機１０が接続されている。また、複数のナースコール子機１０には、ナースコール子機１０を識別するための子機識別情報がそれぞれ割り振られている。ここで、子機識別情報とは、ナースコール子機１０の子機番号である。また、ナースコール子機１０とナースコール親機２０との間には、図示しない廊下灯が設置されている。廊下灯は、自機に設けた表示灯を点灯または点滅させ、ナースコール子機１０による呼び出しを報知する。また、ナースコール親機２０には、複数の携帯通信端末３０が接続されている。ここで、携帯通信端末３０は、医療従事者により携行され、患者からの呼び出しを報知し、医療従事者がこれに応答するためのものであり、図示しない無線基地局を介してナースコール親機２０に接続されている。
【００１４】
子機用制御部１１は、ナースコール子機１０の各構成要素を後述するように制御する。呼出操作部１２は、患者により医療従事者を呼び出すために操作される。ここで、呼出操作部１２は、ボタンなどにより構成されている。患者により呼出操作部１２が操作されたと子機用制御部１１が判断した場合には、子機用制御部１１は、自機に割り振られている子機識別情報を図示しない子機用記憶部から取得し、呼び出しを報知するための呼出信号を生成する。そして、送信部１３は、子機用制御部１１で生成された呼出信号を子機識別情報とともにナースコール親機２０へ送信する。
【００１５】
子機用Ｉ／Ｆ部１４は、ナースコール子機１０がナースコール親機２０との間で通信するために、親機用Ｉ／Ｆ部２６に接続されている。また、子機用Ｉ／Ｆ部１４は、ナースコール子機１０とナースコール親機２０との間で通話時の音声信号の送受信を行う。具体的には、子機用Ｉ／Ｆ部１４は、子機用制御部１１により生成された呼出信号の送信後にナースコール親機２０のオフフックにより通話路が形成されると、患者からの音声信号をナースコール子機１０からナースコール親機２０へ送信するとともに、医療従事者からの音声信号をナースコール親機２０からナースコール子機１０へ受信する。
【００１６】
また、子機用Ｉ／Ｆ部１４は、ナースコール子機１０が携帯通信端末３０との間で通信するために、親機用Ｉ／Ｆ部２６を介して端末用Ｉ／Ｆ部３５に接続されている。また、子機用Ｉ／Ｆ部１４は、ナースコール子機１０と携帯通信端末３０との間で通話時の音声信号の送受信を行う。具体的には、子機用Ｉ／Ｆ部１４は、子機用制御部１１により生成された呼出信号の送信後に携帯通信端末３０のオフフックにより通話路が形成されると、患者からの音声信号をナースコール子機１０からナースコール親機２０を介して携帯通信端末３０へ送信するとともに、医療従事者からの音声信号を携帯通信端末３０からナースコール親機２０を介してナースコール子機１０へ受信する。
【００１７】
親機用制御部２１は、ナースコール親機２０の各構成要素を後述するように制御する。親機用受信部２２は、ナースコール子機１０から送信された呼出信号を受信する。ナースコール親機２０は、図２に示すように親機用表示部２５、選局部２８、受話器２９をボード２７に備えている。親機用表示部２５は、呼び出しを行った呼出元の患者情報や呼び出しを行ったナースコール子機１０が設置されている病室番号を表示するものであり、表示ディスプレイなどにより構成されている。選局部２８は、複数の患者それぞれに対応する個別選局部２３を病室番号毎などの条件により規則的に配置したものである。なお、図２では、個別選局部２３を選局部２８に１２台配置しているが、これに限定されない。受話器２９は、ナースコール子機１０との間で通話を行うものであり、オフフックにより通話路が形成される。
【００１８】
図３（ａ）に示すように、個別選局部２３は、患者情報の１つである患者の氏名を表面に表示した氏名カード２３３を装着している。ここで、氏名カード２３３は、個別選局部２３に備えられているカードホルダ２３４に挿入されるまたはカードホルダ２３４から取り外されることによって個別選局部２３に着脱可能になる。氏名カード２３３を装着する際には、カードホルダ２３４の左方の上下に設けた凹部に氏名カード２３３をスライドさせて挿入するようにしている。また、氏名カード２３３を取り外す際には、氏名カード２３３を右側へスライドさせて、カードホルダ２３４の凹部から外すようにしている。
【００１９】
また、個別選局部２３は、病室番号表示欄２３１、および呼出灯２３２を備えている。病室番号表示欄２３１は、病室情報である病室番号を表面に表示している。もちろん、病室番号表示欄２３１は、病室番号が表面に表示された室番カードを装着するようにしても良い。なお、本実施形態では、個別選局部２３は、病室番号表示欄２３１に病室番号を表示しているが、これに限定されない。例えば、個別選局部２３は、病室番号表示欄２３１の代わりにベッド番号表示欄を設け、そこに、患者毎に固有のベッド番号を表示するようにしても良い。呼出灯２３２は、点灯または点滅するランプなどにより構成されている。ナースコール親機２０がナースコール子機１０から呼び出しを受けると、呼出灯２３２は、点灯または点滅して患者が呼び出しを行ったことを医療従事者に報知する。
【００２０】
また、図３（ｂ）に示すように、個別選局部２３は、患者情報を読み取るためのカードリーダ２３５を備えている。カードリーダ２３５は、親機用制御部２１に接続されている。一方、氏名カード２３３は、ＩＣ（Ｉｎｔｅｇｒａｔｅｄ  Ｃｉｒｃｕｉｔ）チップ２３６を内蔵している。ＩＣチップ２３６には、表面に表示されている患者に関する患者情報（例えば、患者識別情報や患者の氏名、患者に関する診療科目など）が記憶されている。ここで、ＩＣチップ２３６に記憶する患者情報は、患者を識別する情報と、親機用表示部２５や端末用表示部３４に表示させたい情報とを含み、少なくとも患者の氏名を示す氏名情報が必要である。なお、本実施形態では、氏名カード２３３にＩＣチップ２３６を内蔵しているが、これに限定されない。例えば、氏名カード２３３の裏面にＩＣチップ２３６を貼り付けるようにしても良い。また、氏名カード２３３がカードホルダ２３４に挿入されているときに、カードリーダ２３５がＩＣチップ２３６に記憶されている患者情報を読み取ることができるように、カードリーダ２３５とＩＣチップ２３６とは、対向して配置されている。ここで、カードリーダ２３５がＩＣチップ２３６に記憶されている患者情報を読み取る方式は、接触式と非接触式とがある。接触式は、例えば、ＩＣチップ２３６に接続され、氏名カード２３３の裏面に取り付けられた端子とカードリーダ２３５に設けた端子が接触することにより、カードリーダ２３５から供給される電源によってＩＣチップ２３６を動作させて患者情報を取得するものである。一方、非接触式は、アンテナコイルを内蔵した氏名カード２３３が電波を発信するカードリーダ２３５内部に近接することにより、氏名カード２３３がアンテナコイルを使用して電波を受信し、受信した電波から生成される電源によってＩＣチップ２３６を動作させて患者情報を取得するものである。本発明では、接触式、非接触式のどちらの方式を使用しても良い。
【００２１】
記憶部２４は、選局部２８における個別選局部２３の位置を示す配置情報とナースコール子機１０を識別するための子機識別情報とを互いに紐付けて記憶している。ここで、配置情報とは、選局部２８に割り振られた個別選局部２３の位置を示すアドレスである。このアドレスを取得することにより、親機用制御部２１は、個別選局部２３の位置を把握することができる。
【００２２】
親機用Ｉ／Ｆ２６は、ナースコール親機２０がナースコール子機１０および携帯通信端末３０との間で通信するために、子機用Ｉ／Ｆ部１４および端末用Ｉ／Ｆ部３５に接続されている。
【００２３】
親機用受信部２２がナースコール子機１０から呼出信号を受信したと親機用制御部２１にて判断した場合には、親機用制御部２１は、呼出信号とともに受信した子機識別情報を取得する。親機用制御部２１は、記憶部２４を参照して取得した子機識別情報に対応する配置情報を取得し、呼び出しを行ったナースコール子機１０に対応する個別選局部２３を特定する。親機用制御部２１は、配置情報により特定された個別選局部２３に氏名カード２３３が装着されているか否かを判断する。個別選局部２３に氏名カード２３３が装着されていると親機用制御部２１にて判断した場合には、親機用制御部２１は、個別選局部２３のカードリーダ２３５を動作させる。カードリーダ２３５は、個別選局部２３に装着されている氏名カード２３３のＩＣチップ２３６に記憶されている患者情報（主に、患者の氏名情報）を読み取り、親機用制御部２１に出力する。親機用制御部２１は、取得した患者情報を親機用表示部２５や端末用表示部３４に表示する。
【００２４】
端末用制御部３１は、携帯通信端末３０の各構成要素を後述するように制御する。端末用受信部３２は、ナースコール子機１０からナースコール親機２０を介して送信された呼出信号を受信する。端末用受信部３２が呼出信号を受信したと端末用制御部３１にて判断した場合には、端末用制御部３１は、呼出制御部３３を動作させ、携帯通信端末３０を鳴動させることで呼出動作を開始する。端末用表示部３４は、親機用表示部２５と同様に、呼び出しを行った呼出元の患者情報や呼び出しを行ったナースコール子機１０が設置されている病室番号を表示するものであり、小型の表示ディスプレイなどにより構成されている。
【００２５】
端末用Ｉ／Ｆ部３５は、携帯通信端末３０がナースコール親機２０との間で通信するために、親機用Ｉ／Ｆ部２６に接続されている。
【００２６】
このように構成されたナースコールシステムにおいて、患者がベッドを移動する場合に、医療従事者は、移動前のベッドに対応する個別選局部２３に装着された氏名カード２３３を取り外し、個別選局部２３の病室番号表示欄２３１に表示されている病室番号を見ながら移動先のベッドに対応する個別選局部２３を探す。移動先のベッドに対応する個別選局部２３を見つけた場合には、医療従事者は、取り外した氏名カード２３３を移動先のベッドに対応する個別選局部２３に装着する。そして、移動先のベッドの近傍に設置されたナースコール子機１０から呼び出しが行われると、親機用制御部２１は、呼出信号とともに受信した子機識別情報を取得する。親機用制御部２１は、記憶部２４を参照して取得した子機識別情報に対応する配置情報を取得し、呼び出しを行ったナースコール子機１０に対応する個別選局部２３を特定する。親機用制御部２１は、特定した個別選局部２３に装着された氏名カード２３３のＩＣチップ２３６に記憶されている患者情報を読み取り、親機用制御部２１に出力する。このように、移動先のベッドに対応する個別選局部２３に移動元のベッドに対応する個別選局部２３に装着されていた氏名カード２３３が装着されるので、ベッド移動前に取得した患者情報とベッド移動後に取得した患者情報とは、同一のものとなる。
【００２７】
以上詳しく説明したように、本実施形態のナースコールシステムでは、病室番号を表面に表示した複数の個別選局部２３を規則的に配置するようにしている。また、患者情報を記憶するＩＣチップ２３６を持ち、個別選局部２３に着脱可能とし、患者の氏名を表面に表示した氏名カード２３３を備える。患者がナースコール子機１０により呼び出しを行うと、子機用制御部１１は、呼出信号を生成し、子機識別情報とともにナースコール親機２０へ送信する。ナースコール親機２０では、呼出信号および子機識別信号を受信し、親機用制御部２１は、記憶部２４を参照して受信した子機種別情報に対応する個別選局部２３の位置を特定する。そして、親機用制御部２１は、特定された個別選局部２３に装着されている氏名カード２３３のＩＣチップ２３６に記憶されている患者情報をカードリーダ２３５により読み取る。これにより、医療従事者が移動元のベッドに対応する個別選局部２３から氏名カード２３３を取り外して移動先のベッドに対応する個別選局部２３に表示されている病室情報を見ながら移動先のベッドに対応する個別選局部２３に氏名カード２３３を装着するだけで、移動元と同様に移動先でも氏名カード２３３から患者情報が読み取られる。従って、コンピュータを操作して患者情報を移すことなく、適切な患者情報を取得することができる。また、コンピュータの操作に慣れていない医療従事者でも、簡単に患者のベッド移動の登録を行うことができる。
【００２８】
なお、前述した実施形態では、カードリーダ２３５は、ＩＣチップ２３６から患者識別情報および患者情報を読み取っているがこれに限定されない。例えば、カードリーダ２３５は、患者が呼び出しを行った場合に、その日時を示す日時情報をＩＣチップ２３６に書き込んでも良い。これにより、患者が呼び出しを行った日時が記憶されるので、医療従事者は、呼び出しの履歴を管理することができ、呼び出しの頻度や呼び出しの傾向を取り纏めることができる。
【図面の簡単な説明】
【００２９】
【図１】本実施形態のナースコールシステムのブロック図である。
【図２】本実施形態のボード形ナースコール親機を示す説明図である。
【図３】氏名カードを装着または取り外した個別選局部を示す説明図である。
【符号の説明】
【００３０】
１０    ナースコール子機
１１    子機用制御部
１２    呼出操作部
１３    送信部
１４    子機用インタフェース（Ｉ／Ｆ）部
２０    ナースコール親機
２１    親機用制御部
２２    親機用受信部
２３    個別選局部
２４    記憶部
２５    親機用表示部
２６    親機用インタフェース（Ｉ／Ｆ）部
２７    ボード
２８    選局部
２９    受話器
３０    携帯通信端末
３１    端末用制御部
３２    端末用受信部
３３    呼出制御部
３４    端末用表示部
３５    端末用インタフェース（Ｉ／Ｆ）部
２３１  病室番号表示欄
２３２  呼出灯
２３３  氏名カード
２３４  カードホルダ
２３５  カードリーダ
２３６  ＩＣチップ
【図１】
2008289752.tif 000003
【図２】
2008289752.tif 000004
【図３】
2008289752.tif 000005